(57)【要約】      （修正有）【課題】外縫いタイプのスリッパにおいて洗濯可能なスリッパを提供する。【解決手段】下底と中底とからなる本体部２と甲部３とを合わせ縁取り材により周囲を縫製してなる外縫い形スリッパ１において、本体部が、合成樹脂製の下底芯材２４を合成樹脂製の下底カバー材２３により内包した下底と、合成樹脂製の中底芯材２５，２６及びクッション材２７を洗濯可能な布材により内包してなる中底とを具備し、甲部が、合成樹脂製の甲芯材を洗濯可能な布材により内包してなる。下底芯材、中底芯材及び甲芯材３２がエチレン−酢酸ビニル共重合体であり、クッション材が発泡ポリエチレンまたはウレタンフォームである。【選択図】図１
0003113708.tif 000002
【実用新案登録請求の範囲】
【請求項１】
下底と中底とからなる本体部と甲部とを合わせ縁取り材により周囲を縫製してなる外縫い形スリッパにおいて、
前記本体部が、合成樹脂製の下底芯材を合成樹脂製の下底カバー材により内包した下底と、合成樹脂製の中底芯材及びクッション材を洗濯可能な布材により内包してなる中底とを具備し、
前記甲部が、合成樹脂製の甲芯材を洗濯可能な布材により内包してなることを特徴とする外縫い形スリッパ。
【請求項２】
前記下底芯材、前記中底芯材及び前記甲芯材がエチレン−酢酸ビニル共重合体であることを特徴とする請求項１に記載の外縫い形スリッパ。
【請求項３】
前記クッション材が発泡ポリエチレンまたはウレタンフォームであることを特徴とする請求項１または２に記載の外縫い形スリッパ。
【請求項４】
前記中底における前記布材がメッシュ生地であることを特徴とする請求項１〜３のいずれかに記載の外縫い形スリッパ。
【考案の詳細な説明】
【技術分野】
【０００１】
本考案は、洗濯して使用できるスリッパに関する。
【背景技術】
【０００２】
従来のスリッパは、中底と下底とを重ね合わせた本体部と、本体部の前半部に足入れ空間を形成する甲部とを具備する。本体部と甲部は、それぞれの形状を維持するための芯材を布若しくは皮革等の外皮材で包んだ構造を有し、さらに本体部には適宜のクッション材も内包されることが一般的である。本体部と甲部とを合わせて縫製することにより製品が完成する。適宜接着剤も用いられる。
【０００３】
健康やダイエット用の特殊なスリッパを除き、一般的なスリッパは、その構造及び製造方法から大きく２種に分けられる。一つは、甲部が中敷きを包み込んでいる吊り込みタイプであり、もう一つは、本体周囲の縁取りにテープ材が巻いてある外縫いタイプである。
【特許文献１】実開平６−８６５０３号公報
【考案の開示】
【考案が解決しようとする課題】
【０００４】
外縫いタイプは、周囲に縁取り材が設けられるためデザイン的に美しく高級感があり、一般家庭やホテル等における部屋履きとして適している。しかしながら、従来のスリッパは、洗濯して繰り返し使用することを前提としておらず、芯材として厚紙を用いたものが一般的である（特許文献１等）。このため、使用を続けるうちに汚れてきても洗濯ができず、外観上も衛生上も好ましくなかった。
【０００５】
以上の現状に鑑み、本考案は、外縫いタイプのスリッパにおいて洗濯可能なスリッパを提供することを目的とする。  
【課題を解決するための手段】
【０００６】
上記の目的を達成するべく本考案は、以下の構成を提供する。
（１）請求項１に係る考案は、下底と中底とからなる本体部と甲部とを合わせ縁取り材により周囲を縫製してなる外縫い形スリッパにおいて、
前記本体部が、合成樹脂製の下底芯材を合成樹脂製の下底カバー材により内包した下底と、合成樹脂製の中底芯材及びクッション材を洗濯可能な布材により内包してなる中底とを具備し、
前記甲部が、合成樹脂製の甲芯材を洗濯可能な布材により内包してなることを特徴とする。
【０００７】
（２）請求項２に係る考案は、請求項１において、前記下底芯材、前記中底芯材及び前記甲芯材がエチレン−酢酸ビニル共重合体であることを特徴とする。
【０００８】
（３）請求項３に係る考案は、請求項１または２において、前記クッション材が発泡ポリエチレンまたはウレタンフォームであることを特徴とする。
【０００９】
（４）請求項４に係る考案は、請求項１〜３のいずれかにおいて、前記中底における前記布材がメッシュ生地であることを特徴とする。
【考案の効果】
【００１０】
・請求項１に係る考案では、外縫い形スリッパに内包する各芯材を合成樹脂製とし、これらの芯材を包む外皮を選択可能な布材としたことにより、洗濯可能となりかつ洗濯を繰り返しても型くずれすることがない。また、水分を吸収しないため乾きも速い。
【００１１】
・請求項２に係る考案では、さらに芯材がエチレン−酢酸ビニル共重合体であることにより柔軟性とゴム状弾性を有し、足や膝への負担を軽減して歩き易さを実現することができる。
【００１２】
・請求項３に係る考案では、さらにクッション材が発泡ポリエチレンまたはウレタンフォームであることにより快適な履き心地を実現することができる。
【００１３】
・請求項４に係る考案では、さらに中底における布材がメッシュ生地であることにより洗濯したときの速乾性と、使用時の通気性を実現することができる。
【考案を実施するための最良の形態】
【００１４】
以下、実施例を示した図面を参照しつつ本考案の実施形態を説明する。
図１は、本考案による外縫い形スリッパ１の一例を示す外観斜視図である。外縫い形スリッパ１は、下底と中底とを重ねてなる本体部２と甲部３とを合わせ、テープ状の縁取り材２２により周囲をくるみ縫製してなるスリッパである。本体部２の上面には中底表地材２１が張られている。中底表地材２１は洗濯可能な布材であり、速乾性であることが好ましい。例えば合成繊維及び天然繊維のいずれでもよく、ポリエステル、綿、麻またはこれらの混紡等を用いることができる。また、中底表地材２１は、メッシュ生地であることが吸汗性及び通気性の点で好適である。さらに、洗濯を繰り返しても色落ちや毛羽立ちのない生地が好ましい。
【００１５】
また、甲部３の両面もまた洗濯可能な甲部表地材３１と甲部裏地材３３により包まれている。甲部表地材３１及び甲部裏地材３３も、中底表地材２１と同様に洗濯可能な布材であり、速乾性であることが好ましい。縁取り材２２もまた同様に洗濯可能な布材であり、速乾性であることが好ましいが、これらの布材が全て同じ素材である必要はない。
【００１６】
図２は、図１の外縫い形スリッパ１のＡ断面図である。図面に向かって左側がスリッパ爪先側であり、右側がスリッパ踵側である。図３は、図１の外縫い形スリッパ１のＢ断面図である。本体部２は、合成樹脂製の下底芯材２４を合成樹脂製の下底カバー材２３により内包した下底と、合成樹脂製の中底芯材２５、２６及びクッション材２７を洗濯可能な中底表地材２１により内包してなる中底とを積層させた構造を具備する。芯材２６は、踵側を厚くするために挿入している。芯材２５、２６の上にはクッション材２７が重ねられている。クッション材２７もまた、爪先側よりも踵側の方を厚くすることにより履き心地をよくする。クッション材２７の上に中底表地材２１が重ねられている。中底の周囲全体は、縁取り材２２で包まれている。甲部３もまた、甲部表地材３１と甲部裏地材３３とにより甲芯材３２を内包してなる。斯かる本体部２と甲部３とを組み合わせた状態で周囲全体を縫製されている。
【００１７】
下底芯材２４及び中底芯材２５、２６並びに甲芯材３２は合成樹脂製であり、好適にはエチレン−酢酸ビニル共重合体（ＥＶＡ）である。これにより、芯材としての強度に加えて適度な柔軟性と弾性を確保できる。
【００１８】
クッション材２７は、好適には発泡ポリエチレンまたはウレタンフォーム等お多孔質素材である。尚、多孔質素材の場合、孔同士が連続しているスポンジのような素材よりも各孔が孤立している素材の方が望ましい。前者では全体的に吸水し易いため乾きが遅くなるからである。また、中底表地材２１をメッシュ生地とすることにより、洗濯の際にクッション材２７が吸水しても乾燥させやすい。
【実施例１】
【００１９】
＜試験用スリッパ＞
以下の各構成要素を用いて、外縫い形スリッパを作製した。
・下底芯材、中底芯材、甲芯材：エチレン−酢酸ビニル共重合体（ＥＶＡ）
・クッション材：発泡ポリエチレン
・中底表地材、縁取り材、甲部表地材、甲部裏地材：ポリエステル
＜試験方法＞
洗濯機の通常モードで５回の洗濯を繰り返した。
＜試験結果＞
外観及び縫製ともに試験前と変化なく良好であった。
【図面の簡単な説明】
【００２０】
【図１】本考案による外縫い形スリッパ１の一例を示す外観斜視図である。
【図２】図１の外縫い形スリッパ１のＡ断面図である。
【図３】図１の外縫い形スリッパ１のＢ断面図である。
【符号の説明】
【００２１】
１  スリッパ
２  本体部
３  甲部
２１  中底表地材
２２  縁取り材
２３  下底カバー材
２４  下底芯材
２５、２６  中底芯材
２７  クッション材
３１  甲部表地材
３２  甲芯材
３３  甲部裏地材
【図１】
0003113708.tif 000003
【図２】
0003113708.tif 000004
【図３】
0003113708.tif 000005